(57)【特許請求の範囲】
【請求項１】
略円環状に対向配置される一側コアカバーと他側コアカバーとに磁気コアからなる電流センサを各別に収納し、かつ、その閉止時に相互に当接する突合せ端部を有してなる一側センサ部と他側センサ部とを計器本体に対し開閉自在に軸支して形成されるクランプセンサにおいて、
一側センサ部の前記突合せ端部は、磁気コアの先端面を遮蔽して一側コアカバーと一体化させた該一側コアカバーの肉厚より薄肉な一側当接部を設けて形成し、他側センサ部の前記突合せ端部は、磁電変換素子を介在させた磁気コアの先端面を遮蔽して他側コアカバーと一体化させた該他側コアカバーの肉厚より薄肉な他側当接部を設けて形成するとともに、前記一側当接部には、内側に前傾するガイド面を備えて隆設された斜面部を少なくともいずれか一方の対向二辺に有する当接面を形成し、前記他側当接部には、一側当接部の前記斜面部と対面合致する傾斜面を経て前記当接面が当接される被当接面を突設し、これら当接面と被当接面とで閉止時における電流センサ相互の正対を自在としたことを特徴とするクランプセンサの突合せ端部構造。
【発明の詳細な説明】
【０００１】
【発明の属する技術分野】
本発明は、クランプセンサを構成する一側センサ部と他側センサとの突合せ端部におけるそれぞれの当接面から磁気コアの先端面を露出させることなく確実な絶縁を確保できるようにしたクンプセンサの突合せ端部構造に関する。
【０００２】
【従来の技術】
図６は、従来からあるクランプ式電流計の一例を一部を省略して示す要部正面図であり、図７は、図６におけるＢ−Ｂ線矢視方向での断面構造につき、閉じた状態を（イ）として、開いた状態を（ロ）として各別に示したものである。
【０００３】
これらの図によれば、略円環状に対向配置される一側コアカバー部７と他側コアカバー部８とに磁気コア６ａからなる電流センサ６を各別に収納し、かつ、その閉止時に相互に当接する突合せ端部４ａ，５ａを備えた一側センサ部４と他側センサ部５とで構成されるクランプセンサ２を計器本体３にレバー７ａを操作して開閉できるように軸支することでクランプ式電流計１の全体が形成されている。
【０００４】
この場合、一側センサ部４と他側センサ部５とは、その閉止時に突合せ端部４ａ，５ａ相互を常に正対させ、かつ、相互間に形成される空隙をできるだけ小さくして当接させる必要がある。このため、一側センサ部４の当接端面は、図８に詳しく示されているように磁気コア６ａの先端面を表出させるため一側コアカバー部７の対応部位に開口部９を設けて形成されている。また、他側センサ部５の当接端面は、開口部９内に入り込んで嵌り合う凸部を有する当接部１０で磁電変換素子を介在させた磁気コア６ａの先端面を遮蔽した状態となって他側コアカバー部８と一体に形成されている。
【０００５】
【発明が解決しようとする課題】
しかし、上記従来例による場合には、一側センサ部４の磁気コア６ａの先端面は、開口部９から露出する結果、活線状態にある被測定導体をクランプセンサ内に導入する際などに、例えば配電盤内で露出しているブレーカーの接続部などのような危険な活電部に過って接触させてしまう可能性が高くなるという不都合があった。
【０００６】
本発明は従来技術にみられた上記課題に鑑み、クランプセンサを構成する一側センサ部と他側センサとの突合せ端部におけるそれぞれの当接面から磁気コアを露出させないようにして確実に絶縁できるようにしたクンプセンサの突合せ端部構造を提供することにその目的がある。
【０００７】
【課題を解決するための手段】
本発明は上記目的を達成すべくなされたものであり、その構成上の特徴は、略円環状に対向配置される一側コアカバーと他側コアカバーとに磁気コアからなる電流センサを各別に収納し、かつ、その閉止時に相互に当接する突合せ端部を有してなる一側センサ部と他側センサ部とを計器本体に対し開閉自在に軸支して形成されるクランプセンサにおいて、一側センサ部の前記突合せ端部は、磁気コアの先端面を遮蔽して一側コアカバーと一体化させた該一側コアカバーの肉厚より薄肉な一側当接部を設けて形成し、他側センサ部の前記突合せ端部は、磁電変換素子を介在させた磁気コアの先端面を遮蔽して他側コアカバーと一体化させた該他側コアカバーの肉厚より薄肉な他側当接部を設けて形成するとともに、前記一側当接部には、内側に前傾するガイド面を備えて隆設された斜面部を少なくともいずれか一方の対向二辺に有する当接面を形成し、前記他側当接部には、一側当接部の前記斜面部と対面合致する傾斜面を経て前記当接面が当接される被当接面を突設し、これら当接面と被当接面とで閉止時における電流センサ相互の正対を自在としたことにある。
【０００８】
【発明の実施の形態】
図１は、本発明のクランプセンサを備えてなるクランプ式電流計の一例についての一部を省略した要部正面図を、図２は、図１におけるＡ−Ａ線矢視方向での断面構造につき、閉じた状態を（イ）として、開いた状態を（ロ）として各別に示す説明図を、図３は、図１において一点鎖線で囲繞した部分を拡大した縦断面図をそれぞれ示す。
【０００９】
これらの図によれば、クランプセンサ１２は、略円環状に対向配置される一側コアカバー２２と他側コアカバー３２とに磁気コア２４，３４からなる電流センサ２３，３３を各別に収納し、かつ、その閉止時に相互に当接する突合せ端部２１，３１を有してなる一側センサ部２０と他側センサ部３０とを計器本体１３に対しレバー２８を介して開閉操作ができるように軸支されてなり、その全体でクランプ式電流計１１を形成している。なお、図３中の符号３９は、磁電変換素子３８に接続されて制御電流を流すとともに、磁電変換素子３８の出力電圧を検出するフレキシブル基板を示す。
【００１０】
このうち、一側センサ部２０は、一側コアカバー２２と一体に樹脂成形されたレバー２８を操作することにより開閉操作ができるようになっており、その突合せ端部２１は、磁気コア２４の先端面２４ａを遮蔽して一側コアカバー２２の側に超音波溶着したり一体成形するなどして一体化させた該一側コアカバー２２の肉厚より薄肉な一側当接部２５を設けて形成されている。
【００１１】
この場合、一側当接部２５には、内側に前傾するガイド面２６ａを備えて隆設された斜面部２６を少なくともいずれか一方の対向二辺、図示例によれば計器本体１３の長さ方向に沿わせた対向二辺に斜面部２６を有する当接面２７が形成されている。また、該当接面２７の肉厚は、実用的な耐久性を備えることを限度にできるだけ薄くして形成するのが望ましい。
【００１２】
一方、他側センサ部３０は、計器本体１３に固定されており、その突合せ端部３１は、ホール素子等の磁電変換素子３８を介在させた磁気コア３４の先端面３４ａを遮蔽して他側コアカバー３２の側に超音波溶着したり一体成形するなどして一体化させた該他側コアカバー３２の肉厚より薄肉な他側当接部３５を設けて形成されている。
【００１３】
この場合、他側当接部３５には、一側当接部２５の斜面部２６と対面合致する傾斜面３６を経て突設されて一側当接部２５の当接面２７が当接される被当接面３７が形成されている。また、該被当接面３７の肉厚は、当接面２７と同様に実用的な耐久性を備えることを限度にできるだけ薄くして形成するのが望ましい。
【００１４】
このように、一側当接部２５には、斜面部２６を有して凹陥させた当接面２７を設け、他側当接部３５は、傾斜面３６を有して突出させた被当接面３７が設けられているので、レバー２８を操作して突合せ端部２１，３１相互を突き合わせてクランプセンサ１２を閉止させた際に、電流センサ２３，３３相互を確実に正対させることができる。
【００１５】
本発明はこのようにして構成されているので、レバー２８を操作することによりクランプセンサ１２における一側センサ部２０の側を動かして開閉することができる。
【００１６】
しかも、一側センサ部２０を開方向に動かした際には、その一側当接部２５と他側センサ部３０の他側当接部３５とのそれぞれが表出されることになる。
【００１７】
しかし、一側コアカバー２２に収納されている磁気コア２４の先端面２４ａは、一側当接部２４の当接面２７により、他側コアカバー３２に収納されている磁気コア３４の先端面３４ａは、他側当接部３５の被当接面３７によりそれぞれ遮蔽されているので、先端面２４ａ，３４ａが露出されることはない。
【００１８】
したがって、活線状態にある被測定導体をクランプセンサ１２内に導入する際などであっても、磁気コア２４の先端面２４ａや磁気コア３４の先端面３４ａに危険な活電部に過って接触させる可能性を完全になくすことができるので、安全性をより高めた状態のもとで測定作業に従事することができる。
【００１９】
この場合、磁気コア２４の先端面２４ａと磁気コア３４の先端面３４ａとの間には、一側当接部２４と他側当接部３４と磁電変換素子３８とフレキシブル基板３９とが介在される結果、一側当接部２４と他側当接部３４とをできるだけ薄くして形成したとしても、図３に示すように空隙ｔが形成されることになる。
【００２０】
しかし、この場合には、フレキシブル基板３９を介して磁電変換素子３８に流す制御電流を大きくしたり、回路利得を大きくすることにより、電流の検出感度を低下させることなく、従来どおり精度の高い測定を行うことができる。
【００２１】
また、一側当接部２５は、ガイド面２６ａを有する斜面部２６と当接面２７とで形成され、他側当接部３５は、傾斜面３６を有する被当接面３７により形成されているので、クランプセンサ１２を閉止させた際に当接面２７と被当接面３７とを正対させた状態のもとで密に当接させることができ、それだけ測定精度を向上させることができる。
【００２２】
【発明の効果】
以上述べたように本発明によれば、一側コアカバー内の磁気コアを該一側コアカバーの肉厚より薄肉な一側当接部の当接面により、他側コアカバー内の磁気コアを該他側コアカバーの肉厚より薄肉な他側当接部の被当接面により遮蔽してそれぞれの先端面が外部に露出されることをなくすることができるので、活線状態にある被測定導体をクランプセンサ内に導入する際などであっても、磁気コアの側を危険な活電部に接触させる可能性を完全になくして安全性のさらなる向上を図ることができる。
【００２３】
しかも、一側当接部は、斜面部と当接面とで形成され、他側当接部は、傾斜面を有する被当接面により形成されているので、クランプセンサを閉止させた際に当接面と被当接面とを正対させた状態のもとで密に当接させることができ、それだけ測定精度を向上させることができる。
【図面の簡単な説明】
【図１】  本発明が適用されるクランプ式電流計の一例を一部を省略して示す要部正面図。
【図２】  図１におけるＡ−Ａ線矢視方向での断面構造につき、閉じた状態を（イ）として、開いた状態を（ロ）としてそれぞれ示す。
【図３】  図１において一点鎖線で囲繞した部分を拡大して示す縦断面図。
【図４】  本発明を構成しているクランプセンサの一例を一側方向から開いた状態で示す斜視図。
【図５】  本発明を構成しているクランプセンサの一例を他側方向から開いた状態で示す斜視図。
【図６】  従来からあるクランプ式電流計の一例を一部を省略して示す要部正面図。
【図７】  図６におけるＢ−Ｂ線矢視方向での断面構造につき、閉じた状態を（イ）として、開いた状態を（ロ）としてそれぞれ示す。
【図８】  従来例としての一側センサ部の要部を示す部分斜視図。
【符号の説明】
１１  クランプ式電流計
１２  クランプセンサ
１３  計器本体
２０  一側センサ部
２１  突合せ端部
２２  一側コアカバー
２３  電流センサ
２４  磁気コア
２４ａ  先端面
２５  一側当接部
２６  斜面部
２６ａ  ガイド面
２７  当接面
２８  レバー
３０  他側センサ部
３１  突合せ端部
３２  他側コアカバー
３３  電流センサ
３４  磁気コア
３４ａ  先端面
３５  他側当接部
３６  傾斜面
３７  被当接面
３８  磁電変換素子
３９  フレキシブル基板
【図１】
0003694412.tif 000002
【図２】
0003694412.tif 000003
【図３】
0003694412.tif 000004
【図４】
0003694412.tif 000005
【図５】
0003694412.tif 000006
【図６】
0003694412.tif 000007
【図７】
0003694412.tif 000008
【図８】
0003694412.tif 000009